(57)【特許請求の範囲】
【請求項１】
単一のサムタンを有するレバーハンドル錠又は上下一対のサムタンを有するプッシュプル錠によるドア錠を備え、内外表面材間のドア錠のサムタン位置近傍にドリルの鋭角先端部を受止空転してその貫通を阻止する板ガラス又は網入りガラスによる矩形のガラスプレートを内蔵してサムタン回しを防止した防犯ドアであって、上記矩形のガラスプレートは、これを同一形状にしてドアの面方向に２枚用いるとともにそのドアへの内蔵を、上記内外表面材間の芯材を部分的に除去して形成したスペース配置のスペーサーに該２枚の矩形のガラスプレートをそれぞれ接着固定することによって、該スペースの中間位置又は室内外一方の変位位置においてその側端を上記ドア錠に対接し且つ上記レバーハンドル錠にあってその上記単一のサムタン位置の上方及び側方のＬ字状の面積範囲を覆って正面Ｔ字状に、上記プッシュプル錠にあってその上記上下一対のサムタン位置の側方をそれぞれ覆って側方上下に離隔して配置することによって行なってなることを特徴とするサムタン回し防止構造の防犯ドア。
【発明の詳細な説明】
【技術分野】
【０００１】
本発明は建物の開口に設置するドアに関し、特にいわゆるサムタン回しを防止することによって防犯性を有するようにしたサムタン回し防止構造の防犯ドアに関する。
【背景技術】
【０００２】
玄関等の室外側から金属加工用ドリルによってドアを貫通する透孔を穿設し、該透孔から、先端をL字状に屈曲した金属バー材を挿入し、そのＬ字屈曲部をドア室内側のサムタンに引っ掛けて、サムタンを回転操作することによってドア錠を開錠して室内に侵入する、いわゆるサムタン回しによる侵入犯が横行していることが知られている。
【０００３】
このため、例えば室内側にも室外側と同様な施開錠用のキーを設置し、室内側の施錠後に該キーを抜取って保管し、開錠時に該キーを用いて錠前の操作を行なうようにすることによって、金属バー材による操作対象のサムタンを設置しないようにしたドア錠が提案されている。
【０００４】
【特許文献１】特開平１１−９３４８２号公報（［００２１］欄、図２参照）
【発明の開示】
【発明が解決しようとする課題】
【０００５】
この場合、サムタンがないのでサムタン回しを有効に防止し得るが、一方で室内側の施開錠にキーの操作を必要とすることによって、施開錠が煩雑化すること、キーを紛失する可能性のあること、緊急時の避難にキーの操作や紛失が障害となる可能性を残すこと、ドア錠がコストアップになること等の問題点が生じることになる。
【０００６】
このため室内側には一般に使い慣れたサムタンをそのまま設置してドア錠の施開錠を従前どおりになし得るようにした状態で、上記サムタン回しを有効に防止し得る対策が必要である。
【０００７】
本発明はかかる事情に鑑みてなされたもので、その解決課題とするところは、可及的簡易な構造でサムタン回しを確実に防止し得るようにしたサムタン回し防止構造の防犯ドアを提供するにある。
【課題を解決するための手段】
【０００８】
上記課題に添って本発明は、上記サムタン回しに使用されるドリルは、比較的小型にしてバッテリー式の電動タイプのものとされ、そのドリルは径が８ｍｍ程度の比較的小径のものが多い傾向があること、侵入犯は人目を避けるため侵入までの時間が掛ることを嫌い、一般に３０秒程度乃至それ以下の開錠を予定している傾向があること、ドアは一般に厚さ（見込寸法）が３．５〜４ｃｍ程度であり、内外のドア表面材の間にはハニカム等の芯材が配置されてその厚さが確保されること、サムタン回しは、サムタンの上方又は下方乃至側方に２〜３ｃｍ程度のＬ字状の面積範囲とされることが圧倒的であることに着目し、該ドアの内外表面材間に上記電動タイプのドリルの鋭角先端部を受止空転させるガラス、即ち、板ガラス又は網入りガラスによる矩形のガラスプレートを介設して、これをドリル進行障害とするとともに該ドリル進行障害を、レバーハンドル錠にあってその上記単一のサムタン位置の上方及び側方のＬ字状の面積範囲を覆って正面Ｔ字状に、上記プッシュプル錠にあってその上記上下一対のサムタン位置の側方をそれぞれ覆って側方上下に離隔した内蔵配置によるものとすることによって、室外側のドア表面材を通過してドリルをドア内に挿入しても、該ドリル進行障害がドア厚さ方向へのドリルの進行を阻止してその貫通を防止し得るようにしたものであって、即ち、請求項１に記載の発明を、単一のサムタンを有するレバーハンドル錠又は上下一対のサムタンを有するプッシュプル錠によるドア錠を備え、内外表面材間のドア錠のサムタン位置近傍にドリルの鋭角先端部を受止空転してその貫通を阻止する板ガラス又は網入りガラスによる矩形のガラスプレートを内蔵してサムタン回しを防止した防犯ドアであって、上記矩形のガラスプレートは、これを同一形状にしてドアの面方向に２枚用いるとともにそのドアへの内蔵を、上記内外表面材間の芯材を部分的に除去して形成したスペース配置のスペーサーに該２枚の矩形のガラスプレートをそれぞれ接着固定することによって、該スペースの中間位置又は室内外一方の変位位置においてその側端を上記ドア錠に対接し且つ上記レバーハンドル錠にあってその上記単一のサムタン位置の上方及び側方のＬ字状の面積範囲を覆って正面Ｔ字状に、上記プッシュプル錠にあってその上記上下一対のサムタン位置の側方をそれぞれ覆って側方上下に離隔して配置することによって行なってなることを特徴とするサムタン回し防止構造の防犯ドアとし、これを発明の要旨として上記課題解決の手段としたものである。
【発明の効果】
【０００９】
本発明は以上のとおりに構成したから、ドアの内外表面材間に上記電動タイプのドリルの鋭角先端部を受止空転させるガラス、即ち、板ガラス又は網入りガラスによる矩形のガラスプレートを介設して、これをドリル進行障害とするとともに該ドリル進行障害を、レバーハンドル錠にあってその上記単一のサムタン位置の上方及び側方のＬ字状の面積範囲を覆って正面Ｔ字状に、上記プッシュプル錠にあってその上記上下一対のサムタン位置の側方をそれぞれ覆って側方上下に離隔した内蔵配置によるものとすることによって、室外側のドア表面材を通過してドリルをドア内に挿入しても、該ドリル進行障害がドア厚さ方向へのドリルの進行を阻止してその貫通を防止して、可及的簡易な構造でサムタン回しを確実に防止し得るとともに内蔵配置によるドアの重量アップや殊更のコストアップを招くことなくドリル進行障害を備えたサムタン回し防止構造の防犯ドアを提供することができる。
【発明を実施するための最良の形態】
【００１０】
以下図面の例に従って本発明を更に具体的に説明すれば、図中１はサムタン回し防止構造の防犯ドア、２は、例えば鋼板によるドア１の内外表面材、３は該内外表面材２間に介設した、例えばハニカムコア、充填グラスウール、充填ウレタン等の芯材（図示を省略することがある）、４はドア錠、５はサムタン、６はドアスコープ、７はドア枠を示す。
【００１１】
上記防犯ドア１は、単一のサムタン５を有するレバーハンドル錠又は上下一対のサムタンを有するプッシュプル錠によるドア錠４を備え、内外表面材２間のドア錠４のサムタン位置近傍にドリルの鋭角先端部を受止空転してその貫通を阻止する板ガラス又は網入りガラスによる矩形のガラスプレート１０を内蔵してサムタン回しを防止したものとしてあり、このとき、上記矩形のガラスプレート１０は、これを同一形状にしてドアの面方向に２枚用いるとともにそのドア１への内蔵を、上記内外表面材２間の芯材３を部分的に除去して形成したスペース１１配置のスペーサー１２に該２枚の矩形のガラスプレート１０をそれぞれ接着固定することによって、該スペース１１の中間位置又は室内外一方の変位位置においてその側端を上記ドア錠４に対接し且つ上記レバーハンドル錠にあってその上記単一のサムタン５位置の上方及び側方のＬ字状の面積範囲を覆って正面Ｔ字状に、上記プッシュプル錠にあってその上記上下一対のサムタン５位置の側方をそれぞれ覆って側方上下に離隔して配置することによって行なったものとしてある。
【００１２】
板ガラス又は網入りガラスによる矩形プレート１０は、ドリルの受止空転によってその進行阻止をなし得るが、例えばドリルを引き戻して鋭角先端部を表面に衝接することによってひび割れを生じさせ、該ひび割れ部分からドリル進行が可能となる場合があるので、該ドリルの衝接による割れを防止する上で、強度に優れた厚さ、例えば３ｍｍ程度以上、一般に４、５ｍｍ、特に５、６ｍｍ程度以上の厚さの厚肉のものを使用するのが好ましく、また特にワイヤー入り乃至網入りのものとするのがガラス強度を向上する上で好ましい。規格のガラスを用いるとき、例えば６．８ｍｍの厚肉網入りガラスを用いるのが、入手の容易性とドリル進行阻止の良好性から推奨される。最大厚さがドア１の厚さを超えずにドア表面材２間に納まるものであることは当然である。
【００１３】
ガラス又はセラミックの矩形プレート１０は、上記ドア１の内外表面材２間に内蔵配置してあるが、一般にサムタン回しによる透孔の穿設位置は、ドア錠４の周辺、特にレバーハンドル錠を用いたドアの例における図２及びプッシュプル錠を用いたドアの例における図４に仮想線で示すように、ドア錠４のサムタン５位置（シリンダー位置といってもよい）の上方（又は下方）乃至側方に２〜３ｃｍ程度のＬ字状の面積範囲とされることが圧倒的であるから、本例にあっては該矩形のガラスプレート１０の内蔵配置を、ドア１におけるドア錠４近傍の比較的大きく余裕をとるように設定した所定の面積範囲としてあり、これによって、例えば、ドア１の重量のアップや、内蔵配置によって殊更にコストアップを招かないようにしてある。
【００１４】
このとき板ガラス又は網入りガラスによる矩形プレート１０は、これを例えば上記３ｍｍ程度以上の所定厚さを有して１０×２０ｃｍ程度の大きさとした矩形のプレートによるものとし、レバーハンドル錠をドア錠４とした図１及び図２の例にあっては該板状のドリル進行障害をドア錠４のサムタン５位置の上部及び側部に内蔵配置することによってその上方に高さ１０ｃｍ程度、幅２０ｃｍ、側方に幅１０ｃｍ、高さ２０ｃｍとする正面Ｔ字状をなすように該面積範囲に行うようにしてあり、またプッシュプル錠をドア錠４とした図３及び図４の例にあっては、サムタン５位置の上方（又は下方）がドア錠４のケースに重合することにより該重合位置を除いてサムタン５位置の側方にそれぞれ上下に高さ及び幅を１０ｃｍとする矩形状をなすように該面積範囲に行なうようにしてある。
【００１５】
本例にあってドア表面材２間には芯材３を介設してあるので、矩形のガラスプレート１０の上記プレート部分の芯材３を除去したスペース１１を形成し、該スペース１１に装着することによってドア１の厚さ方向の中間位置又は室内外一方、例えば室外側の変位位置等適宜箇所に配置してある。
【００１６】
図５の例は該ドリル進行障害１０の装着を、例えば芯材３除去のスペース１１にスペーサー１２を配置し、上記プレートを接着等の固定手段を用いて固定し室内外の一対のスペーサー１２によってドア１の中間位置に挟持することによって行ったものとし、また図６の例では室内外片側のスペーサー１２と一方のドア表面材２に同じく固定しドア１の片側変位位置に挟持することによって行なったものとしてある。また図７及び図８の例は上記スペース１１をスリット状とし、該スペースにドリル進行障害１０を接着剤や粘着材によって直接に固定して同様にドア１の中間位置又は片側変位位置に保持することによって行なったものとしてある。
【００１７】
このようにドリル進行障害として矩形のガラスプレート１０を内蔵配置したドア１にあっては、電動タイプの金属加工用のドリルが室外側のドア表面材２を貫通するが、鋭角先端部がドリル進行障害１０に至るとその表面で受止空転させられることによってその進行をドア１のプレート位置で物理的に阻止することができ、長時間を掛けることのない侵入犯のドリル操作による透孔穿設を断念させ、該透孔穿設の比較的初期の段階でサムタン回しを防止することができる。
【００１８】
これを実験結果によって示すと、実施例１として、ドア表面材を０．６ｍｍの化粧鋼板とし、ハニカムコアを芯材とするマンション用ドアに矩形プレートとして６．８ｍｍ厚さの網入りガラスを内蔵配置（スペーサーを用いたがドリル位置には透孔を設置しドリルがガラスに当るようにした）したドアを形成し、該ドアを水平に固定して、電動タイプにしてフル充電した金属加工用市販ドリル（ドリル径８ｍｍ）を用いて、室外側の上面にドリル先端を当てスイッチを入れて垂直方向の透孔穿設を試みてその時間を測定した。化粧鋼板はスイッチを入れると同時に貫通したが、網入りガラスの抵抗が生じた後、体重を掛けるように押圧したが先端が空転して進行阻止の状態となり、６０秒間これを継続した後にスイッチを切った。網入りガラスを取り出して目視したが欠けや割れはなく、ドア配置の状態のままであった。
【００１９】
実施例２として上記網入りガラスに代えて、３ｍｍ厚さの板ガラスとした以外、同様に実験を行なった。同じく化粧鋼板はスイッチを入れると同時に貫通したが、その直後にドリルが空転し、同様に体重を掛けたが、先端空転の進行阻止の状態となり、同じく６０秒間これを継続してスイッチを切った。板ガラスを取り出して目視したが、同様に欠けや割れはなく、ドア配置の状態のままであった。
【００２０】
比較例１としてドア表面材間に芯材を備えて内蔵配置物のないマンション用ドアを用いた以外、同様に実験を行なった。内外のドア表面材を貫通してドアに透孔が穿設されるまで８秒であった。
【００２１】
比較例２としてドア表面材間に１．５ｍｍ厚さのステンレス板を内蔵配置した以外、同様に実験を行なった。ステンレス板で幾分の抵抗を感じたが、これを貫通してドアに透孔が穿設されるまで１６秒であった。
【００２２】
比較例３として１．５ｍｍ厚さの焼入れ鋼板を用いた以外、同様に実験を行なった。同じく焼入れ鋼板で同じく抵抗を感じたが、これを貫通してドアに透孔が穿設されるまで２５秒であった。
【００２３】
比較例４としてＭ字状に屈曲した１．６ｍｍ厚さのＳＧＣＣ製Ｍ型骨を用いた以外、同様に実験を行なった。Ｍ型骨で先端が滑る感じを受けたが抵抗に変わり、これを貫通してドアに透孔が穿設されるまで２９秒であった。
【００２４】
一般に侵入犯は侵入までの間を長くても数十秒以下とするように短時間を予定しており、透孔穿設に１分程度の時間を必要とすると侵入迄の時間がそれ以上となることによって穿設を断念して退去することになり、サムタン回しの対策として１分以上を設定すればその目的を達成することができる。
【００２５】
従って実施例1及び２は６０秒でスイッチを切っているが、そのドリル進行阻止機能はサムタン回しの対策として十分なものと認められた。一方内蔵配置のない現状のマンションドアは８秒で透孔が穿設できるから、その後に金属バー材によってサムタンの回転操作をしても２０〜３０秒間でドアの開錠が可能となる一方、鋼材を用いたり、鋼材を屈曲してドリルの先端を滑走させるようにしても、３０秒以下で透孔の穿設が可能となり、同じく１分以内に開錠が可能となり、サムタン回しの対策として必ずしも十分とはいえない。
【００２６】
以上実験結果によれば、ドリルを受止空転する板ガラス又は網入りガラスによる矩形のガラスプレートをドリル進行障害として内蔵配置することがサムタン回しの防止に有効であり、鋼板等の比較例との関係で極めて大きな有意差があることが判明した。
【００２７】
図面の例は以上のとおりとしたが、本発明の実施に当って、矩形のガラスプレートを板ガラスとするとき強化フィルムを貼着すること等を含めて、ドア、ドアの内外表面材、ドア錠、矩形のガラスプレートの各具体的形状、材質、構造、これらの関係、これらに対する付加等は上記発明の要旨に反しない限り様々の形態のものとすることができる。
【図面の簡単な説明】
【００２８】
【図１】レバーハンドル錠をドア錠とした枠付ドアの２枚の矩形のガラスプレート配置形態の例を示す室内側正面図である。
【図２】図１のドア錠と矩形のガラスプレートの関係を示す拡大縦断面図である。
【図３】プッシュプル錠をドア錠とした枠付ドアの２枚の矩形のガラスプレート配置形態の例を示す室内側正面図である。
【図４】図３のドア錠と矩形のガラスプレートの関係を示す拡大縦断面図である。
【図５】スペーサーを用いた２枚の矩形のガラスプレートの装着状態を示す部分拡大横断面図である。
【図６】スペーサーを用いた他の例の２枚の矩形のガラスプレートの装着状態を示す拡大横断面図である。
【符号の説明】
【００２９】
１  防犯ドア
２  ドア表面材
３  芯材
４  ドア錠
５  サムタン
６  ドアスコープ
７  ドア枠
１０  矩形のガラスプレート
１１  スペース
１２  スペーサー
【図１】
0004517221.tif 000002
【図２】
0004517221.tif 000003
【図３】
0004517221.tif 000004
【図４】
0004517221.tif 000005
【図５】
0004517221.tif 000006
【図６】
0004517221.tif 000007